(57)【要約】【課題】接触と非接触のデュアルインターフェースＳＩＭを装着でき、液晶ディスプレイを備えるＳＩＭリーダライタを提供する。【解決手段】本発明の液晶ディスプレイ付きＳＩＭリーダライタ１は、ＵＳＢ用コネクタを有し、ＩＳＯ７８１６−２、ＩＳＯ７８１６−３で規定される接触、ＩＳＯ１４４４３非接触のインターフェースを備えるＳＩＭ２を着脱可能に装着するＳＩＭリーダライタであって、ＳＩＭリーダライタは、少なくとも、（１）制御用ＩＣと、（２）ＵＳＢ／ＩＳＯ７８１６変換ＩＣと、（３）非接触交信のためのアンテナコイル１１と、（４）液晶ディスプレイ４と、を有していることを特徴とする。ＳＩＭリーダライタ１は、さらに赤外線通信手段５を備えていても良い。【選択図】    図１
2004264916.tif 000002
【特許請求の範囲】
【請求項１】
ＵＳＢ用コネクタを有し、ＩＳＯ７８１６−２、ＩＳＯ７８１６−３で規定する接触、ＩＳＯ１４４４３で規定する非接触インターフェースを備えるＳＩＭを着脱可能に装着するＳＩＭリーダライタであって、当該ＳＩＭリーダライタは、少なくとも、
（１）制御用ＩＣと、（２）ＵＳＢ／ＩＳＯ７８１６変換ＩＣと、（３）非接触交信のためのアンテナコイルと、（４）液晶ディスプレイと、を有していることを特徴とする液晶ディスプレイ付きＳＩＭリーダライタ。
【請求項２】
ＳＩＭリーダライタに装着するＳＩＭが、接触と非接触インターフェースを備え、マルチアプリケーション搭載可能なものであることを特徴とする請求項１記載の液晶ディスプレイ付きＳＩＭリーダライタ。
【請求項３】
非接触通信のための赤外線通信手段を、さらに備えることを特徴とする請求項１記載の液晶ディスプレイ付きＳＩＭリーダライタ。
【発明の詳細な説明】
【０００１】
【発明の属する技術分野】
本発明は、ＵＳＢ用コネクタを有し、接触と非接触のインターフェースを備えるＳＩＭを着脱可能に装着し、ＳＩＭが保持するデータ内容を液晶ディスプレイに表示可能なＳＩＭリーダライタに関する。
このようなＳＩＭリーダライタは、第１にパーソナルコンピュータ（ＰＣ）等のアクセス権限認証用途に使用でき、第２に施設、交通機関等の非接触ゲート管理や非接触ショッピング等の決済取引に適用でき、第３に液晶ディスプレイに各種情報を表示させることができるので、そのような情報表示が求められる媒体、例えば、各種取引の記録表示、定期券や乗車券、各種施設入場券等に好適に用い得るものである。
従って、本発明の関連する技術分野は、ＳＩＭリーダライタやＳＩＭの製造・利用の分野、あるいは定期券や乗車券、入場券の発券や取り扱い、または利用分野に関する。
【０００２】
【従来技術】
近年、ＩＳＯ７８１６−２、ＩＳＯ７８１６−３で規定される接触と、ＵＳＢ（ユニバーサル・シリアル・バス）接触とのデュアルインターフェースのＩＣカードが開発されている（特許文献１）。
ＵＳＢインターフェースを持つＩＣカードは、パソコンなどのＵＳＢ対応の機器との接続を容易にし、社員証カードなどでネットワークアクセス用ＩＤカードとして注目されはじめている。
【０００３】
一方、ｅ−Ｔｏｋｅｎと呼ばれるＩＣチップを内蔵したネットワークアクセス用ＩＤモジュールが使用されている。ＵＳＢ接触インターフェースを持ち、パソコン（ＰＣ）のＵＳＢコネクタに差し込みプラグアンドプレイ、すなわち煩わしい操作を必要とせずに、ネットワークセキュリティを確保したシステムに使用されている。ドングルと呼ばれることもあり、携帯電話のストラップやキーホルダーとともに持ち歩ける利便性がある。
【０００４】
他方、携帯電話には小型のＳＩＭやＵＩＭ、ＵＳＩＭカードと呼ばれるセキュリティＩＤモジュールが組み込まれてきている。日本でも最新の携帯電話には組み込まれて既に実用化されている。
ＵＩＭ（Ｕｓｅｒ  Ｉｄｅｎｔｉｔｙ  Ｍｏｄｕｌｅ）  は、携帯電話会社が発行する契約者情報を記録した小型のＩＣカードであって、携帯電話機に組み込んで利用者の識別に使用する。
【０００５】
これは同様の機能を持つＳＩＭ（Ｓｕｂｓｃｒｉｂｅｒ  Ｉｄｅｎｔｉｔｙ  Ｍｏｄｕｌｅ）から機能拡張が行われたもので、契約者情報以外に電話帳などのプライベート情報やクレジット決済用の個人識別情報などを暗号化して登録することが可能となっている。
ＳＩＭをベースにしていることからＵＳＩＭ（Ｕｎｉｖｅｒｓａｌ  ＳＩＭ）と呼ばれることもある。ＳＩＭはＧＳＭ携帯電話サービスの利用を目的とするが、ＵＩＭは、例えば、アメリカのｃｄｍａ２０００携帯電話機に差し込んで国際ローミングサービスを受けるといった使用方法が考えられている。
いずれにしても、このようなＳＩＭまたはＵＩＭは既存技術が有るので製造や発行処理が容易である。
【０００６】
前述のキーホルダー型ＩＤモジュールや特許文献１の携帯物品は、非接触通信機能を持たないので、改札ゲートやドアゲートを非接触で開閉する等の用途に兼用できないという使い勝手の悪さがある。
そこで、本願出願人は、先に、ＩＳＯ７８１６で規定される接触と、ＩＳＯ１４４４３非接触のインターフェースを備えるＵＳＢコネクタ付きＳＩＭホルダーについて、特許文献２において提案している。
また、ＩＳＯ７８１６で規定される接触と、ＩＳＯ１４４４３非接触、ＵＳＢ接触の３種のインターフェースを備えるＩＣモジュール、ＳＩＭホルダー、ＳＩＭ等について、特許文献３において提案している。
【０００７】
【特許文献１】特表２００２−５２５７２０号公報
【特許文献２】特願２００２−２８４８２５号
【特許文献３】特願２００２−３０００７２号
【０００８】
【発明が解決しようとする課題】
上述の、ドングルと呼ばれるキーホルダー型のＩＤモジュールは、ＩＣチップを射出成形等で樹脂成形するので、従来のＩＣカードやＳＩＭのような方式で製造したり発行処理することができない問題がある。
また、特許文献２、特許文献３に提案のＳＩＭホルダーは、表示部を有しないのでＳＩＭが保持する情報内容を可視的に表示できない問題がある。
そこで、本発明はキーホルダー型ＩＤモジュールに非接触通信機能を持たせ、ＳＩＭ自体のＩＣチップに接触、非接触インターフェースを備えさせ、かつＳＩＭを装着するリーダライタにアンテナコイルと液晶ディスプレイを備えること、を研究して本発明の完成に至ったものである。
なお、本願明細書において、ＳＩＭとは、ＵＩＭやＵＳＩＭを含む小型ＩＣカードを総称するものとする。
【０００９】
【課題を解決するための手段】
上記課題を解決するための本発明の要旨は、ＵＳＢ用コネクタを有し、ＩＳＯ７８１６−２、ＩＳＯ７８１６−３で規定する接触、ＩＳＯ１４４４３で規定する非接触インターフェースを備えるＳＩＭを着脱可能に装着するＳＩＭリーダライタであって、当該ＳＩＭリーダライタは、少なくとも、
（１）制御用ＩＣと、（２）ＵＳＢ／ＩＳＯ７８１６変換ＩＣと、（３）非接触交信のためのアンテナコイルと、（４）液晶ディスプレイと、を有していることを特徴とする液晶ディスプレイ付きＳＩＭリーダライタ、にある。
【００１０】
上記、液晶ディスプレイ付きＳＩＭリーダライタにおいて、ＳＩＭリーダライタに装着するＳＩＭが接触と非接触インターフェースを備え、マルチアプリケーション搭載可能なものであること、が好ましく、ＳＩＭリーダライタが、非接触通信のための赤外線通信手段を、さらに備える、ようにすることができる。
【００１１】
【発明の実施の形態】
本発明の液晶ディスプレイ付きＳＩＭリーダライタについて図面を参照して説明する。図１は、本発明の液晶ディスプレイ付きＳＩＭリーダライタのブロック構成を示す図、である。図２は、液晶ディスプレイ付きＳＩＭリーダライタの外形を示す図、図３〜図６は、ＳＩＭリーダライタ内の構成を示す図、図７は、ＳＩＭを示す平面図、である。
【００１２】
図１のように、本発明の液晶ディスプレイ付きＳＩＭリーダライタ（以下、「ＳＩＭリーダライタ」と略称する。）１は、ＳＩＭ２を着脱可能に装着し、制御用ＩＣチップ３を有している。制御用ＩＣチップ３は、ＣＰＵとメモリを有すると共に、ＩＳＯ７８１６ドライバ３１と液晶ディスプレイ駆動用の液晶ドライバ３２、および赤外通信用の赤外線ドライバ３３を有している。ただし、これらの全てが一体にＩＣチップ化されているもには限られない。
ＳＩＭ２の信号は、リーダライタ（Ｒ／Ｗ）端子板１２とリレー８を介して制御用ＩＣチップ３に接続し、ＵＳＢポート２５からの信号は、ＵＳＢ／ＩＳＯ７８１６変換ＩＣ１０とリレー８を介して制御用ＩＣチップ３に接続する。
【００１３】
リーダライタ端子板１２は、ＳＩＭ２が備える接触端子板の８端子と接続する構造を有している。接触端子の場合、予備端子となっているＣ４とＣ８端子が、ＳＩＭリーダライタのケーシング内のアンテナコイル１１に接続するようにされている。アンテナコイル１１は、ＩＳＯ１４４４３ＴｙｐｅＡ，Ｂに準拠した非接触通信を行うためのものである。
ＳＩＭリーダライタ１は、液晶ディスプレイ４や制御用ＩＣチップ３等の駆動電源としてバッテリ（二次電池）７を備えることが好ましい。バッテリ７には薄型のリチウムイオン電池を好ましく使用できる。
スイッチボタン４１は電源のオン−オフフ、スイッチボタン４２は、表示選択や動作決定のために用いられる。
【００１４】
ＳＩＭリーダライタ１は、ＵＳＢコネクタがパーソナルコンピュータ（ＰＣ）のＵＳＢポート２５に挿入されている場合は、バッテリ７は接続されないようになっている。したがって、この場合は、スイッチボタン４１をオンしても制御用ＩＣチップ３のＣＰＵは動作せず液晶ディスプレイ４も表示されない。
液晶ディスプレイ４は、ＰＣに接続していない場合であって、スイッチボタン４１をオンした場合にのみ表示される。
【００１５】
この場合（電源ボタンオン時）には、リレー８はＣＰＵとリーダライタ端子板１２を接続する。ＵＳＢコネクタがＵＳＢポートに挿入されているＵＳＢ駆動時は、リレー８は制御用ＩＣチップ３のＣＰＵとＵＳＢポート２５を接続する。
また、アンテナコイル１１によりＩＳＯ１４４４３通信中に電源ボタンがオフされたり、ＵＳＢコネクタがＵＳＢポート２５に挿入された場合には、ハードウェアリセットがかかり、ＳＩＭはＡＴＲ（ａｎｓｗｅｒ  ｔｏ  ｒｅｓｅｔ  ）を返す。すなわち、非接触通信は強制的に中断されるようになっている。
【００１６】
ＳＩＭリーダライタ１は、赤外線通信手段を備えることができる。赤外線通信手段は、制御ＩＣチップ３の赤外線ドライバ３３により制御され、赤外線受発信部５は、赤外線発光部と受光部、およびフィルタ等を備え、これと同様な構成で受発信部を備える外部電子機器と交信してデータの送受信をすることができる。
この場合、ＳＩＭ２の情報は制御用ＩＣチップ３により処理され、赤外線受発信部５の発光部により光電変換されて外部電子機器に送信される。他方、外部電子機器からの信号は受光部が光電変換し、制御用ＩＣチップ３を経てＳＩＭ２に送信される。
これにより、ＩＳＯ１４４４３非接触よりも長い近距離間における非接触通信が可能となる。
【００１７】
ＳＩＭリーダライタはどのような外形であっても構わないが、携帯し易い形状としては、図２のように、ＵＳＢコネクタ２０の挿入方向とＳＩＭ２の挿入方向が直線状にあるのが好ましいと考えられる。
図２（Ａ）のように、表面に液晶ディスプレイ４を有し、左端部にはＵＳＢコネクタ２０を有し、右端部にはＳＩＭ２の挿入口１５を有している。
挿入口１５の手前部分に液晶ディスプレイ４よりは一段低くなった段部１６を設けている。ＳＩＭ挿入の際、この段部１６にＳＩＭ２をあてがえばＳＩＭ２の挿入を容易にできる。液晶ディスプレイ４と挿入口１５の間にスイッチボタン４１，４２が設けられている。符号１４は電源用のＬＥＤ表示である。
ＳＩＭリーダライタ１を携帯する際は、キー取り付け穴１７に、ストラップ等を通せば、ＳＩＭ２の不用意な脱落を防止できる。
【００１８】
液晶ディスプレイ４は、ＳＩＭ２のＩＣチップが保持する情報をスイッチボタン４２の操作により順次表示するようにされている。
表示内容は、ＳＩＭの搭載するアプリケーションソフトによって異なるが、例えば、電子マネー２０１の場合は残高、支払い明細等であり、電子チケット２０２の場合は、利用日付けや会場、開演時間、指定座席等の表示であり、定期券用途の場合は、通用区間や通用期間、使用者等の表示となる。このようにＳＩＭ２は複数アプリケーションを搭載できることが好ましい。
液晶ディスプレイ４には、ドットマトリクスタイプの反射型カラー液晶表示を採用でき、図形表示も可能である。液晶ディスプレイ４の厚みは、１．０ｍｍ〜１．５ｍｍ程度となる。表示面積は、幅２０〜３０ｍｍから長さ５０〜７０ｍｍ程度のものにできる。
なお、液晶ディスプレイに限らず、有機ＥＬや電子ペーパーなど、薄型で消費電力の少ない表示装置を代替して利用することができる。
【００１９】
図２（Ｂ）は、図２（Ａ）のＡ−Ａ線断面を示す。この場合は、ＳＩＭ２が装着されている状態を示している。ＳＩＭ２と液晶ディスプレイ４との間には、リーダライタ（Ｒ／Ｗ）端子板１２があって、ＳＩＭ２の接触端子板２２との接触が確保される。リーダライタ端子板１２は液晶基板下の全面に設けて配線基板を兼ねるようにしても良い。
ＳＩＭリーダライタ１は、液晶ディスプレイ４やリーダライタ端子板１２を備える上蓋部１８と下側ケース部１９を分割して成型し、配線基板等を組み込んだ後に組み合わせて一体にすることが多い。図示してないが、アンテナコイル１１は前記配線基板の周囲に配線したり、上蓋部１８や下側ケース部１９の内面に配線させることができる。
【００２０】
ＳＩＭリーダライタ１の裏面には、特別な部品を設けないので、図示していないが、電源充電のための機構部等を設けることができる。
また、下側ケース部１９を透明樹脂で成型すれば、後述するようにＳＩＭに設けた顔写真やネームプリントを透視することができる。
【００２１】
図３〜図６は、ＳＩＭリーダライタ内の構成を示す図であって、液晶ディスプレイ４の背面において、リーダライタ端子板１２とアンテナコイル１１の関係を示している。
図３はＳＩＭ２の接触端子板２２面側斜視図、図４は同平面図、図５はＳＩＭ２の接触端子板とは反対面側斜視図、図６は同平面図、である。
図３、図４のように、アンテナコイル１１はケーシングの上蓋部１８の内周等に沿うように配線され、その末端はリーダライタ端子板１２のＣ４とＣ８端子に接続するようにされている。ＳＩＭ２は、図３の右側から挿入してリーダライタ端子板１２の下側に入って固定されるようにされている。
【００２２】
図３、図４において、ＵＳＢコネクタ２０への配線は省略されているが、Ｃ５（ＧＮＤ）、Ｃ１（Ｖｃｃ）、Ｃ２（ＲＳＴ）、Ｃ７（Ｉ／Ｏ）が、ＵＳＢ／ＩＳＯ７８１６変換ＩＣ１０に導かれることになる。
前述した特許文献１には、ＵＳＢ機能を有するＩＣチップが記載され、ＵＳＢ（Ｄ＋）がＣ４端子を、ＵＳＢ（Ｄ−）がＣ８端子を利用する例が記載されているが、本発明のＳＩＭリーダライタ１は、ＵＳＢ／ＩＳＯ７８１６変換ＩＣ１０を使用するので、従来機能のデュアルＩＣモジュールを使用できる。
また、アンテナコイル１１の端子には、Ｃ４とＣ８端子を利用するので、８端子以上の特設端子板を有する端子をＳＩＭ２やリーダライタに使用しない利点がある。
【００２３】
図５のように、リーダライタ端子板１２の背面には８個のコンタクトピン１３が突出していて、ＳＩＭ２の接触端子板２２と接触するようにされている。
図６は、ＳＩＭ２をＳＩＭリーダライタ１に装着した後の状態である。ＳＩＭ２は、端子板１２の背面であって、下側ケース１９に沿って挿入されるので、下側ケース１９が透明樹脂であれば、ＳＩＭ２の顔写真加工２７等を視認することができる。
【００２４】
前記のように、ＰＣに接続している際は、非接触通信機能は遮断されるが、非接続時には、非接触インターフェースを使いコンビニやレストランでの支払いや交通機関の改札や施設の入退室管理に利用することができる。
赤外線通信手段を備える場合は、ＩＳＯ１４４４３による非接触通信よりも長い距離での通信が可能となる。
一方、ＰＣに直接接続でき、周辺機器として別途リーダライタを必要としない利点がある。
【００２５】
図７は、本発明に使用するＳＩＭを示す平面図である。図７（Ａ）は接触端子板２２を有する表面側、図７（Ｂ）はその反対側面を示す。
図７（Ａ）のように、ＳＩＭ２は長辺Ｌ１が２５ｍｍ、短辺Ｌ２が１５ｍｍ程度の基板２１からなるものである。厚みは、１．０ｍｍ以内で、通常は０．７６ｍｍの均一な薄板状のものである。
接触端子板２２の背面基板中には、接触、非接触デュアルモードのＩＣモジュールが装着されている。矩形状ＳＩＭの一端隅角部に切り欠き２３を有するのは、ＳＩＭ２をＳＩＭリーダライタ１に装着する際の位置合わせを容易にするためのものである。
【００２６】
図７（Ｂ）のように、ＳＩＭ２の接触端子板２２とは反対側面には、顔写真加工２７やネームプリント２８、番号プリント２９を設けることができ、所有者の識別を容易にできると共に、ＳＩＭリーダライタ１の下側ケース部を透明にする場合にはＳＩＭを装着した状態で利用者を視覚的に識別することができる。
ＳＩＭ２は、マルトス（商標）対応のものとすることで、電子マネーや電子チケット、社員証等の複数アプリケーションを搭載して使用することができる。
【００２７】
以上のように、本発明のＳＩＭリーダライタについて説明したが、本発明品は、ＰＣとの組合せに限定されず利用できることは、当業者には自明のことであり、パーソナルコンピュータと同様な機能を備える装置、例えば、ＰＯＳレジスタ、あるいはダジタルカメラ等との関係においても適用できるものであることは明らかである。
【００２８】
【発明の効果】
本発明の液晶ディスプレイ付きＳＩＭリーダライタは、ＵＳＢインターフェースとしてＰＣアクセス権限認証に使用できるほか、ＩＳＯ１４４４３非接触通信機能を備えるので、電子チケット、電子マネー決済等の各種非接触取引用途に使用することができる。
また、ＳＩＭのメモリに保持する情報内容を液晶ディスプレイに表示することができるので、情報内容をパーソナルコンピュータや専用端末のディスプレイで確認したりプリンタに出力して確認するような手間を省略することができる。
【図面の簡単な説明】
【図１】本発明の液晶ディスプレイ付きＳＩＭリーダライタのブロック構成を示す図である。
【図２】液晶ディスプレイ付きＳＩＭリーダライタの外形を示す図である。
【図３】ＳＩＭの接触端子板面側斜視図である。
【図４】同平面図である。
【図５】ＳＩＭの接触端子板とは反対面側斜視図である。
【図６】同平面図である。
【図７】ＳＩＭを示す図である。
【符号の説明】
１    ＳＩＭリーダライタ
２    ＳＩＭ
３    制御用ＩＣチップ
４    液晶ディスプレイ
５    赤外線受発信部
７    バッテリ
８    リレー
１０    ＵＳＢ／ＩＳＯ７８１６変換ＩＣ
１１    アンテナコイル
１２    リーダライタ（Ｒ／Ｗ）端子板
１３    コンタクトピン
１４    ＬＥＤ表示
１５    挿入口
１６    段部
１７        キー取り付け穴
１８    上蓋部
１９    下側ケース部
２０    ＵＳＢコネクタ
２１    基板
２２    接触端子板
２３    切り欠き
２５    ＵＳＢポート
２７    顔写真加工
４１，４２    スイッチボタン
【図１】
2004264916.tif 000003
【図２】
2004264916.tif 000004
【図３】
2004264916.tif 000005
【図４】
2004264916.tif 000006
【図５】
2004264916.tif 000007
【図６】
2004264916.tif 000008
【図７】
2004264916.tif 000009
【手続補正書】
【提出日】平成16年1月15日(2004.1.15)
【手続補正１】
【補正対象書類名】明細書
【補正対象項目名】００２１
【補正方法】変更
【補正の内容】
【００２１】
図３〜図６は、ＳＩＭリーダライタ内の構成を示す図であって、液晶ディスプレイ４の背面において、リーダライタ端子板１２とアンテナコイル１１の関係を示している。
図３は、ＳＩＭリーダライタ内であってＳＩＭ２の接触端子板２２面側を示す斜視図、図４は、同平面図、図５は、ＳＩＭリーダライタ内であってＳＩＭ２の接触端子板とは反対面側を示す斜視図、図６は、同平面図、である。
図３、図４のように、アンテナコイル１１はケーシングの上蓋部１８の内周等に沿うように配線され、その末端はリーダライタ端子板１２のＣ４とＣ８端子に接続するようにされている。ＳＩＭ２は、図３の右側から挿入してリーダライタ端子板１２の下側に入って固定されるようにされている。


【手続補正２】
【補正対象書類名】明細書
【補正対象項目名】図面の簡単な説明
【補正方法】変更
【補正の内容】
【図面の簡単な説明】
【図１】本発明の液晶ディスプレイ付きＳＩＭリーダライタのブロック構成を示す図である。
【図２】液晶ディスプレイ付きＳＩＭリーダライタの外形を示す図である。
【図３】ＳＩＭリーダライタ内であってＳＩＭの接触端子板面側を示す斜視図である。
【図４】図３の平面図である。
【図５】ＳＩＭリーダライタ内であってＳＩＭの接触端子板とは反対面側を示す斜視図である。
【図６】図５の平面図である。
【図７】ＳＩＭを示す図である。